(57)【要約】【課題】回転体を保持する保持力を容易に高めることが可能な軸受部材及び美容器を提供する。【解決手段】シャフト２０に対して回転体３０を回転可能に支持させる軸受部材Ｍであり、前記シャフト２０が挿入される挿入穴５４が形成され、前記シャフト２０に対して回転自在に保持される軸受本体５０と、前記軸受本体５０に支持されるとともに前記回転体３０の被係止部３７に係止する係止部５１を含んでいるロック部５２と、を有し、前記ロック部５２が、前記シャフト２０の軸方向における両方の端部が前記軸受本体５０に支持された両持ち状をなすものであり、前記軸受本体５０の前記シャフト２０の径方向における内側に弾性撓みするものである。【選択図】図４
2019132310.tif 000002
【特許請求の範囲】
【請求項１】
シャフトに対して回転体を回転可能に支持させる軸受部材であり、
前記シャフトが挿入される挿入穴が形成され、前記シャフトに対して回転自在に保持される軸受本体と、
前記軸受本体に支持されるとともに前記回転体の被係止部に係止する係止部を含んでいるロック部と、を有し、
前記ロック部が、前記シャフトの軸方向における両方の端部が前記軸受本体に支持された両持ち状をなすものであり、前記軸受本体の前記シャフトの径方向における内側に弾性撓みするものである軸受部材。
【請求項２】
前記軸受本体に、前記シャフトの径方向に貫通する貫通穴が形成されている請求項１に記載の軸受部材。
【請求項３】
前記軸受本体が、前記挿入穴が貫通して形成された一対の軸受部を有し、
一対の前記軸受部において前記挿入穴が周方向に閉じた円形状をなして同軸上に配置されている請求項１または請求項２に記載の軸受部材。
【請求項４】
請求項１ないし請求項３のいずれか一項に記載の軸受部材と、
肌に当てて回されるローラである前記回転体と、
を備えている美容器。
【発明の詳細な説明】
【技術分野】
【０００１】
本発明は、軸受部材及び美容器に関する。
【背景技術】
【０００２】
従来、シャフトに対して回転体を回転可能に支持させる軸受部材が知られている。例えば下記特許文献１に記載された軸受部材は、円筒形状をなして内部にシャフトが通される軸受本体を有し、軸受本体には、回転体に係止する係止爪が外向きに突設されている。係止爪は、軸受本体の軸方向における一端部から他端部に向かって片持ち状に延出した弾性片の自由端に設けられている。回転体を軸受部材に固定する際には、弾性片が固定端を支点として内側へ撓んだ後に外側へ弾性復帰し、係止爪が回転体の係止溝に係止するようになっている。
【先行技術文献】
【特許文献】
【０００３】
【特許文献１】特開２０１６−７４１２７号公報
【発明の概要】
【発明が解決しようとする課題】
【０００４】
しかしながら、上記のような構成では、軸受本体が回転体を保持する保持力を高めることが難しいという問題がある。なぜなら、この保持力を従来に比して高めるためには、弾性片の断面を大きくして剛性を高める等しなければならず、例えば軸受本体の大きさに制限がある場合には、保持力を十分に高めることが難しいからである。
【０００５】
本発明は上記のような事情に基づいて完成されたものであって、回転体を保持する保持力を容易に高めることが可能な軸受部材及び美容器を提供することを目的とする。
【課題を解決するための手段】
【０００６】
本発明の軸受部材は、シャフトに対して回転体を回転可能に支持させる軸受部材であって、前記シャフトが挿入される挿入穴が形成され、前記シャフトに対して回転自在に保持される軸受本体と、前記軸受本体に支持されるとともに前記回転体の被係止部に係止する係止部を含んでいるロック部と、を有し、前記ロック部が、前記シャフトの軸方向における両方の端部が前記軸受本体に支持された両持ち状をなすものであり、前記軸受本体の前記シャフトの径方向における内側に弾性撓みするものである。
本発明の美容器は、前記軸受部材と、肌に当てて回されるローラである前記回転体と、を備えているものである。
【発明の効果】
【０００７】
本発明によれば、ロック部が両持ち状であるから、ロック部が片持ち状である場合に比して回転体を保持する保持力を容易に高めることができる。
【図面の簡単な説明】
【０００８】
【図１】本実施例における美容器を示す分解斜視図
【図２】美容器の正面図
【図３】美容器の側面図
【図４】美容器に組み込まれた状態の軸受部材を示す断面図であって、図３のＡ−Ａ位置における断面に相当する断面図
【図５】シャフトを示す側面図
【図６】シャフトを示す正面図
【図７】第１コア部材の合わせ面を示す図
【図８】第１コア部材を合わせ面とは反対側から見た図
【図９】第２コア部材の合わせ面を示す図
【図１０】軸受部材の貫通穴を正面から見た図
【図１１】軸受部材のロック部を正面から見た図
【図１２】軸受部材を上側から見た図
【図１３】軸受部材を下側から見た図
【図１４】軸受部材を示す断面図であって、図１０のＢ−Ｂ位置における断面に相当する断面図
【発明を実施するための形態】
【０００９】
本発明の好ましい形態を以下に示す。
本発明の軸受部材は、前記軸受本体に、前記シャフトの径方向に貫通する貫通穴が形成されているものとしてもよい。このような構成によれば、軸受本体の内側の空間（ロック部の撓み空間）を成形する金型を、シャフトの挿入穴と交差する方向に抜くことができる。ここで、ロック部の撓み空間を成形する金型を、シャフトの挿入穴と同方向に抜く場合には、挿入穴と、撓み空間を形成する金型の抜き穴とが軸受本体の軸方向における端部に開口する。このため、軸受本体の端部を小さくすることが難しく、また開口形状が複雑になるため軸受本体の製造が難しい。しかしながら、本構成によれば、軸受本体の端部には挿入穴のみが開口する形態となるから、この端部を容易に小さくすることができ、また開口形状が単純であるから軸受本体を容易に製造することができる。
【００１０】
また、本発明の軸受部材は、前記軸受本体が、前記挿入穴が貫通して形成された一対の軸受部を有し、一対の前記軸受部において前記挿入穴が周方向に閉じた円形状をなして同軸上に配置されているものとしてもよい。このような構成によれば、一本の金型のピンで、一対の軸受部の挿入穴を成形することができるから、挿入穴を精度良く成形することができる。また、シャフトの全周が挿入穴に万遍なく当たるから、シャフトの偏磨耗を防ぐことができ、もって耐久性を向上させることができる。
【００１１】
＜実施例＞
以下、本発明を具体化した一実施例について、図１〜図１４を参照しつつ詳細に説明する。
本実施例における軸受部材Ｍは、各種の回転体３０をシャフト２０に対して回転可能に支持させるためのものである。本実施例では、回転体３０が、肌に当てて回されるローラであり、軸受部材Ｍが、一対の回転体３０を顔や腕等の肌に当てて回転させることで美肌の実現を図る美容器１０に組み込まれた場合を説明する。
【００１２】
美容器１０は、握り操作用のハンドル１１を有している。ハンドル１１は、合成樹脂製であり、全体として棒状をなすように一体成形されるとともに、表面の全体に金属メッキ（例えばクロムメッキ）が施されている。
【００１３】
ハンドル１１の長手方向における一端部には、二股に分岐して突出する分岐部１２が備えられている。両分岐部１２には、回転体３０を回転可能に取り付けるためのシャフト２０が固定されている。分岐部１２は、円筒形状をなし、分岐部１２の内部には、シャフト２０の一部が挿入される固定穴１３が設けられている。固定穴１３には、シャフト２０が螺合可能な雌ネジ部が形成されている。
【００１４】
シャフト２０は金属製（例えばステンレス製）であり、表面にはメッキ（例えば無電解ニッケルメッキ）が施されている。シャフト２０は、全体として棒状をなすシャフト本体部２１と、シャフト本体部２１の軸方向における中間部に設けられたフランジ部２２とを一体に備えている。
【００１５】
シャフト本体部２１は、断面円形状をなしている。シャフト本体部２１は、ハンドル１１の固定穴１３に挿入される固定部２３と、軸受部材Ｍに挿入される挿入部２４とを備えている。固定部２３と挿入部２４とは同軸上に連なって延びている。シャフト本体部２１のうちフランジ部２２より一端側が固定部２３、他端側が挿入部２４とされている。固定部２３には、ハンドル１１の固定穴１３に螺合可能な雄ネジ部が形成されている。
【００１６】
シャフト２０の挿入部２４は、軸受部材Ｍを軸方向に貫通する長さ寸法を有している。挿入部２４の先端には、軸受部材Ｍを抜け止めするためのリング部材２５が嵌着される溝状部２６が凹設されている。挿入部２４の外周面は、溝状部２６を除き、全長において凹凸のない面とされている。
【００１７】
フランジ部２２は、角丸長方形状をなしている（図６参照）。これにより、スパナでフランジ部２２を挟持して、ハンドル１１の固定穴１３にシャフト２０をねじ込み可能とされている。
【００１８】
次に、回転体３０及び軸受部材Ｍについて説明する。回転体３０及び軸受部材Ｍについては、図４のシャフト２０の軸線に沿って上側を上方、下側を下方として説明する。
【００１９】
回転体３０は、全体として球体状をなしている。回転体３０には、軸受部材Ｍに嵌合する軸受嵌合部３１が設けられている。軸受嵌合部３１は、回転体３０の外周面に開口した形態で、回転体３０の内側に形成されている。
【００２０】
軸受嵌合部３１には、軸受部材Ｍの係止部５１が係止可能な被係止部３７が設けられている。被係止部３７は、軸受嵌合部３１の内周面に突出して設けられた突部である。
【００２１】
被係止部３７の上面には、軸受部材Ｍの係止部５１が係止可能な係止受け面３５が設けられている。係止受け面３５は、回転体３０の離脱方向に対して略直交する面である。係止受け面３５は、軸受嵌合部３１の内周面の全周にわたり連続して形成された環状をなしている。係止受け面３５の内周縁３５Ｅに、係止部５１のエッジ５１Ｅが係止するようになっている。係止受け面３５の内周縁３５Ｅは、係止受け面３５と被係止部３７の内周面（突出端面）とが略直交してなる角である。
【００２２】
軸受嵌合部３１には、軸受部材Ｍの鍔部５３が突き当たる当て面３６が形成されている。当て面３６は、被係止部３７の下面に設けられ、軸受嵌合部３１の開口近傍に位置している。当て面３６は、軸受嵌合部３１の内周面から内側に突出する面であり、軸受部材Ｍと回転体３０との嵌合方向に対して略直交する面である。当て面３６は、軸受嵌合部３１の内周面の全周にわたり連続して形成された環状をなしている。
【００２３】
軸受嵌合部３１の内周面には、被係止部３７の上側に、相対的に凹んだ窪み部３４が形成されている。窪み部３４には、被係止部３７に係止した状態の回転体３０の係止部５１が収容される。
【００２４】
回転体３０は、軸受嵌合部３１が設けられたコア部３２と、コア部３２の外周面に被覆成形された外被部３３とを備えている。コア部３２及び外被部３３は合成樹脂製であり、外被部３３の外面には金属メッキ（例えばプラチナメッキ）が施されている。
【００２５】
コア部３２は、互いに合体可能な一対の分割体（以後、第１コア部３２Ｆ及び第２コア部３２Ｓと称する）を有している。第１コア部３２Ｆと第２コア部３２Ｓとを合体してなるコア部３２は、全体として球体状をなしている。なお、外被部３３は、第１コア部３２Ｆと第２コア部３２Ｓとが合体された状態のコア部３２をインサートして二色成形されている。
【００２６】
第１コア部３２Ｆ及び第２コア部３２Ｓは、コア部３２を上下（軸受嵌合部３１の開口側とその反対側）に分割した形態をなしている。第１コア部３２Ｆが、軸受嵌合部３１の開口側の部分（以後、第１嵌合部３１Ｆと称する）を有し、第２コア部３２Ｓが、軸受嵌合部３１の開口側と反対側の部分（以後、第２嵌合部３１Ｓと称する）を有している。
【００２７】
第１コア部３２Ｆに設けられた第１嵌合部３１Ｆは、断面円形状をなして第１コア部３２Ｆを上下方向に貫通している。第１コア部３２Ｆの上面（第２コア部３２Ｓとの合わせ面３８）には、後述する第２コア部３２Ｓの第２開口４１より一回り大きい円形状をなす第１開口３９が形成されている。
【００２８】
第２コア部３２Ｓは、第１コア部３２Ｆの上面側を塞ぐキャップ状をなしている。第２コア部３２Ｓに設けられた第２嵌合部３１Ｓは、軸受部材Ｍの上端部に嵌合可能とされている。第２コア部３２Ｓの下面（第１コア部３２Ｆとの合わせ面３８）には、軸受部材Ｍの外周面に沿った円形状をなす第２開口４１が形成されている。
【００２９】
第１コア部３２Ｆ及び第２コア部３２Ｓには、第１コア部３２Ｆと第２コア部３２Ｓとを互いに位置決めする位置決め構造が設けられている。この位置決め構造により、第１開口３９の中心軸と第２開口４１の中心軸とが同軸に配置される。
【００３０】
位置決め構造は、互いに凹凸嵌合する位置決め突部４３と位置決め溝部４２とを有している。位置決め突部４３と位置決め溝部４２とが嵌合することにより、第１コア部３２Ｆと第２コア部３２Ｓとの合わせ面３８が面方向に位置決めされる。位置決め突部４３は、図４及び図７に示すように、第１コア部３２Ｆの合わせ面３８に突設され、第１開口３９の全周に連続して形成された環状をなしている。位置決め溝部４２は、図４及び図９に示すように、第２コア部３２Ｓの合わせ面３８に凹み形成され、第２開口４１の全周に連続して形成された環状をなしている。
【００３１】
軸受部材Ｍは、合成樹脂製（例えば良好な摺動性を有するポリアセタール製）であって、シームレスで一体に成形された一部品である。軸受部材Ｍがシームレスであることにより、シャフト２０に対して安定した回転性能が得られる。軸受部材Ｍは、全体として円筒状をなし、回転体３０の軸受嵌合部３１に収容可能であるとともに、内部にシャフト２０が挿入可能とされている。
【００３２】
軸受部材Ｍは、シャフト２０が挿入される挿入穴５４が形成された軸受本体５０と、回転体３０の被係止部３７に係止する係止部５１を含んでいるロック部５２とを備えている。
【００３３】
挿入穴５４は、軸受本体５０の軸方向における両端部に貫通形成されている。挿入穴５４は、全周が閉じた円形状をなしている。
【００３４】
軸受本体５０のうち挿入穴５４が形成された部分（以後、軸受部５５と称する）は、図１２及び図１３に示すように、挿入穴５４を中心に、挿入穴５４と同軸の円環形状をなしている。軸受部５５には挿入穴５４のみが開口している。
【００３５】
軸受部５５は、軸受本体５０の軸方向における両端部に備えられている。一対の軸受部５５において、挿入穴５４は同軸上に配置されるとともに、同形状（同じ径寸法の円形状）をなしている。これにより、同一の金型のピンで両挿入穴５４を精度よく成形することができるから、シャフト２０のがた付きを効果的に抑えることができる。
【００３６】
一対の軸受部５５のうち下側の軸受部５５の下端には、図１０に示すように、挿入穴５４に向かって次第に径寸法が小さくなるテーパ部５６が設けられている。テーパ部５６は、挿入穴５４の全周にわたって連続して形成されている。なお、テーパ部５６の最大径寸法はフランジ部２２の径寸法より小さくされている。
【００３７】
軸受本体５０の下端には、鍔部５３が設けられている。鍔部５３は、軸受本体５０の径方向における外側へ軸受本体５０の全周にわたり突出している。鍔部５３は、軸受嵌合部３１の当て面３６に当接し、軸受部材Ｍの軸受嵌合部３１への押し込みを規制する。
【００３８】
ロック部５２は、軸受本体５０に両端部（シャフト２０の軸方向における両方の端部）が支持された両持ち状をなしている。ロック部５２の両端部は、一対の軸受部５５に固定されている。一対の軸受部５５は、ロック部５２のみで連結されている。
【００３９】
ロック部５２は、軸受本体５０のシャフト２０の径方向における内側に変位するように弾性撓み可能とされている。ロック部５２は、図１０に示すように、軸受本体５０に一対が設けられている。一対のロック部５２は、軸受本体５０の中心軸を間にして対向配置され、軸受本体５０の中心軸を基準に対称な形状をなしている。
【００４０】
各ロック部５２は、一対の軸受部５５にわたる壁状をなしている。各ロック部５２の外面５２Ｓは、図１２及び図１３に示すように、両軸受部５５の外周面の一部に沿って円弧状に湾曲している。一対のロック部５２の対向面（内面）５２Ｕは、後述する貫通穴５９の貫通方向に平坦な面であり、互いに略平行をなしている。一対のロック部５２の対向面５２Ｕは、後述する貫通穴５９の内壁面を構成している。
【００４１】
係止部５１は、図１０に示すように、各ロック部５２の中間部（シャフト２０の軸方向における中間部）に一体に設けられている。係止部５１は、ロック部５２の外面５２Ｓに突設されている。係止部５１は、ロック部５２の上下方向における略中心に位置しており、ロック部５２は、上下方向の中心を基準に対称な形状をなしている。係止部５１を軸受部材Ｍの径方向における外方から見ると、図１１に示すように、幅方向に長い長方形状をなしている。係止部５１の幅寸法は、ロック部５２の大部分にわたる寸法とされている。係止部５１の突出寸法は、図１２に示すように、幅方向に一定とされている。係止部５１の突出面は、図４に示すように、上下方向の中心において最も突出寸法が大きくなるように湾曲している。係止部５１の下端のエッジ５１Ｅが、係止受け面３５の内周縁３５Ｅに係止するようになっている。
【００４２】
軸受本体５０の内側の空間（以後、内部空間５７と称する）は、シャフト２０が配置される空間とロック部５２の撓み空間５８とを有している。シャフト２０は、軸受本体５０の中心軸に沿って配置され、撓み空間５８は、シャフト２０とロック部５２との間に形成されている。
【００４３】
軸受本体５０には、図１０に示すように、シャフト２０の径方向（挿入穴５４の軸方向と交差する方向）に貫通する貫通穴５９が形成されている。貫通穴５９は、軸受本体５０の内部空間５７を挿入穴５４の軸方向と交差する方向に開放する開口部となっている。貫通穴５９は、一対のロック部５２の間に形成されている。貫通穴５９を、軸受本体５０の径方向における外方から見ると、図１０に示すように、幅寸法よりも上下方向の寸法が若干大きい方形状をなしている。貫通穴５９の幅寸法は、挿入穴５４の径寸法より大きくされている。
【００４４】
次に、本実施例の美容器１０の組み立て作業の一例を説明する。
まず、ハンドル１１にシャフト２０を固定する。スパナでシャフト２０のフランジ部２２をまわしてシャフト２０の固定部２３を固定穴１３に螺合する。フランジ部２２が分岐部１２の端面に当接または近接するまでシャフト２０をねじ込む。このとき、固定穴１３またはシャフト２０の固定部２３に、シャフト２０の緩みを防止するべく緩み止め剤（接着剤）を塗布してもよい。
【００４５】
次に、シャフト２０に軸受部材Ｍを取り付ける。軸受部材Ｍの挿入穴５４にシャフト２０の挿入部２４が下方から挿入されるようにして、軸受部材Ｍを取り付ける。すると、軸受部材Ｍの鍔部５３がシャフト２０のフランジ部２２に当接するとともに、シャフト２０の挿入部２４の先端が軸受部材Ｍの上方に突出した状態になる。シャフト２０の溝状部２６にリング部材２５を嵌着すると、フランジ部２２とリング部材２５とによって軸受部材Ｍが抜け止めされる（図４参照）。こうして、軸受部材Ｍは、シャフト２０に対して回転が許容されるとともに、軸方向の移動が規制された状態で取り付けられる。
【００４６】
次に、軸受部材Ｍに回転体３０を取り付ける。回転体３０の軸受嵌合部３１に軸受部材Ｍが嵌合されるようにして、回転体３０を押し込む。すると、回転体３０の被係止部３７が、軸受部材Ｍの係止部５１に当接してロック部５２が撓み空間５８に弾性撓みし、被係止部３７が係止部５１を乗り越えるとロック部５２が弾性復帰して係止部５１が係止受け面３５に係止する。また、回転体３０の当て面３６が軸受部材Ｍの鍔部５３に当接する。これにより、回転体３０は、軸受部材Ｍに対して離脱及び押し込みが規制された状態で取り付けられる。
以上により、美容器１０の組み立て作業が完了する。
【００４７】
なお、回転体３０がハンドル１１に取り付けられた状態では、回転体３０とハンドル１１との間（すなわち回転体３０と分岐部１２の端面との間）にクリアランスが設けられ、回転体３０とハンドル１１とが直接的に接触しないようになっている。
【００４８】
美容器１０を使用する場合には、ハンドル１１を把持して一対の回転体３０を顔などの皮膚に当て、ハンドル１１を動かして一対の回転体３０を転動する。一対の回転体３０は、シャフト２０を回転軸として回転し、皮膚の表面を転がる。これにより、皮膚及びその下部組織が刺激されて血行が良くなる等のマッサージ効果が得られる。
【００４９】
次に、上記のように構成された実施例の作用および効果について説明する。
本実施例の軸受部材Ｍは、シャフト２０が挿入される挿入穴５４が形成され、シャフト２０に対して回転自在に保持される軸受本体５０と、軸受本体５０に支持されるとともに回転体３０の被係止部３７に係止する係止部５１を含んでいるロック部５２と、を有している。ロック部５２は、シャフト２０の軸方向における両方の端部が軸受本体５０に支持された両持ち状をなすものであり、軸受本体５０のシャフト２０の径方向における内側に弾性撓みするものである。この構成によれば、ロック部５２が両持ち状であるから、片持ち状である場合に比して回転体３０を保持する保持力を容易に高めることができる。
【００５０】
また、ロック部５２が両持ち状であることにより、回転体３０のガタつきを効果的に抑制することができる。すなわち、ロック部が片持ち状であって、その自由端に係止部がある場合には、係止部が、ロック部の固定端を支点として円弧を描くように変位して被係止部に係止するため、係止部と被係止部との間に所定のクリアランスが必要である。このため、回転体が軸受部材に対してガタつき、異音等が発生するという問題がある。しかしながら、本実施例のロック部５２は両持ち状であるから、係止部５１が、シャフト２０の軸方向に対して略直交方向に変位して回転体３０の被係止部３７に係止する。したがって、ロック部が片持ち状をなす従来のものに比して、被係止部３７と係止部５１との間のクリアランスを小さくすることができ、もって回転体３０のガタつきを抑制することができる。
【００５１】
また、軸受本体５０に、シャフト２０の径方向に貫通する貫通穴５９が形成されている。この構成によれば、軸受本体５０の内側の空間（ロック部５２の撓み空間５８）を成形する金型を、シャフト２０の挿入穴５４と交差する方向に抜くことができる。ここで、ロック部の撓み空間を成形する金型を、シャフトの挿入穴と同方向に抜く場合には、挿入穴と、撓み空間を形成する金型の抜き穴とが軸受本体の軸方向における端部に開口する。このため、軸受本体の端部を小さくすることが難しく、また開口形状が複雑になるため軸受本体の製造が難しい。しかしながら、本実施例の構成によれば、軸受本体５０の端部には挿入穴５４のみが開口する形態となるから、この端部を容易に小さくすることができ、また開口形状が単純であるから軸受本体５０を容易に製造することができる。
【００５２】
また、軸受本体５０が、挿入穴５４が貫通して形成された軸受部５５を一対有し、一対の軸受部５５において挿入穴５４が周方向に閉じた円形状をなして同軸上に配置されている。この構成によれば、一本の金型のピンで、一対の軸受部５５の挿入穴５４を成形することができるから、挿入穴５４を精度良く成形することができる。また、シャフト２０の全周が挿入穴５４に万遍なく当たるから、シャフト２０の偏磨耗を防ぐことができ、もって耐久性を向上させることができる。
【００５３】
また、本実施例の美容器１０は、軸受部材Ｍと、肌に当てて回されるローラである回転体３０とを備えたものである。この構成によれば、ローラを保持する保持力を十分に高めつつ、美容器１０を容易に小型化することができるとともに、ローラを肌に押し当てて回転させる際に、ローラのガタつきを効果的に抑制することができるから、使用感を良くすることができる。
【００５４】
＜他の実施例＞
本発明は上記記述及び図面によって説明した実施例に限定されるものではなく、例えば次のような実施例も本発明の技術的範囲に含まれる。
（１）上記実施例では、シャフト２０の挿入部２４の外周面が凹凸のない面とされシャフト２０とロック部５２との間にロック部５２の撓み空間５８が設けられているが、これに限らず、例えばシャフトの挿入部の一部を凹ませてロック部の撓み空間を形成してもよい。
（２）上記実施例では、軸受本体５０が一対の軸受部５５を備えているが、これに限らず、軸受部５５は一のみであってもよく、例えば軸受本体の軸方向における一方の端部のみが挿入穴を有する軸受部とされ、他方の端部は、挿入穴を有さないものとしてもよい。このような場合には、挿入穴を有さない端部を、例えば回転体を嵌合するための部分として備えてもよい。
（３）上記実施例では、ロック部５２の両端部が一対の軸受部５５に固定されているが、これに限らず、例えば軸受本体が、内部空間を取り囲む周壁部を有するものとし、周壁部に一対のスリットを形成することで、一対のスリットの間の部分をロック部としてもよい。
（４）上記実施例では、係止部５１が、ロック部５２の外面５２Ｓに突設されているが、これに限らず、係止部は、ロック部の外面に凹設されたものであってもよく、また係止部及び被係止部の構造は任意に変更することができる。
（５）上記実施例では、軸受部材Ｍを美容器１０に用いた場合を例示したが、これに限らず、軸受部材は、美容器ではない他の機器に用いることができる。
（６）上記実施例では、軸受部材Ｍの下端に鍔部５３が設けられているが、必ずしも軸受部材に鍔部を設けなくてもよく、この場合、軸受部材を上下の向きに関係なく使用することができる。
（７）上記実施例では、軸受部材Ｍの鍔部５３とシャフト２０のフランジ部２２とが直接当接しているが、これに限らず、軸受部材の鍔部とシャフトのフランジ部との間に摺動性に優れた樹脂製の耐摩耗部材（例えば株式会社旭ポリスライダー製のポリスライダーワッシャ）を配置して軸受部材の摩耗を防止するようにしてもよい。
【符号の説明】
【００５５】
Ｍ…軸受部材
１０…美容器
２０…シャフト
３０…回転体
３７…被係止部
５０…軸受本体
５１…係止部
５２…ロック部
５４…挿入穴
５５…軸受部
５９…貫通穴
【図１】
2019132310.tif 000003
【図２】
2019132310.tif 000004
【図３】
2019132310.tif 000005
【図４】
2019132310.tif 000006
【図５】
2019132310.tif 000007
【図６】
2019132310.tif 000008
【図７】
2019132310.tif 000009
【図８】
2019132310.tif 000010
【図９】
2019132310.tif 000011
【図１０】
2019132310.tif 000012
【図１１】
2019132310.tif 000013
【図１２】
2019132310.tif 000014
【図１３】
2019132310.tif 000015
【図１４】
2019132310.tif 000016